(57)【要約】  コンテナを取り扱うためのデバイスおよび方法、及び、前記デバイスを含むコンテナである。前記デバイスは、昇降手段に装着されたフック（１）を含み、このフックは、ヒンジピン（２）を中心として、前記ヒンジピン（２）の下の空間に何もない折り畳み位置と、フック（１）が前記ヒンジピン（２）の下にある展開位置と、の間でヒンジ作動するように構成されている。前記コンテナ（６）は、複数の側パネル（１５）および下パネル（１６）、並びに前記コンテナ（６）の単一の箇所で安定した持ち上げを可能にするように構成された少なくとも一つの支持ハンドル（５）を含んでいる。
2010515630.tif 000002
【特許請求の範囲】
【請求項１】
コンテナを取り扱うためのデバイスであって、
持ち上げ手段に配置された少なくとも一つのフック（１）を備え、
前記少なくとも一つのフックは、ヒンジピン（２）を中心として、前記ヒンジピン（２）の下方の空間が開放される折り畳み位置と、
前記フック（１）が前記ヒンジピン（２）の下方にある展開位置と、の間でヒンジ作動するように構成されている、
ことを特徴とするコンテナを取り扱うためのデバイス。
【請求項２】
前記展開位置から前記折り畳み位置への前記フックの作動は、無線周波数による自動遠隔制御によって、行われる、
ことを特徴とする請求項１に記載のコンテナを取り扱うためのデバイス。
【請求項３】
前記折り畳み位置から前記展開位置への前記フックの作動は、手作業で行われる、
ことを特徴とする請求項２に記載のコンテナを取り扱うためのデバイス。
【請求項４】
前記折り畳み位置から前記展開位置への前記フックの作動は、無線周波数による自動遠隔制御によって、行われる、
ことを特徴とする請求項２に記載のコンテナを取り扱うためのデバイス。
【請求項５】
前記持ち上げ手段に配置された電磁手段（３）を備え、
前記電磁手段（３）は、磁界を発生させて、コンテナ（６）を構成する支持ハンドル（５）に連結された少なくとも一つの強磁性エレメント（４）を引き付けるように、構成され、
前記少なくとも一つの支持ハンドル（５）は、前記コンテナ（６）を単一の箇所で安定して持ち上げることができるように構成され、
前記少なくとも一つのフックは、ヒンジピン（２）を中心として、前記電磁手段（３）の下方の空間が開放される折り畳み位置と、前記フック（１）が前記電磁手段（３）の下方にある展開位置と、の間でヒンジ作動するように構成されている、
ことを特徴とする請求項１〜４のいずれか一項に記載のコンテナを取り扱うためのデバイス。
【請求項６】
前記電磁手段（３）は電磁石からなる、
ことを特徴とする請求項５に記載のコンテナを取り扱うためのデバイス。
【請求項７】
前記少なくとも一つの強磁性エレメント（４）は、固定エレメント（７）によって、前記コンテナ（６）に連結されている、
ことを特徴とする請求項５または６に記載のコンテナを取り扱うためのデバイス。
【請求項８】
請求項１〜７のいずれか一項に記載のコンテナを取り扱うためのデバイスを備えたコンテナであって、
複数の側パネル（１５）および下パネル（１６）と、
前記コンテナ（６）を単一の箇所で安定して持ち上げることができるように構成された少なくとも一つの支持ハンドル（５）と、を備える、
ことを特徴とするコンテナ。
【請求項９】
二つの対向する側パネル（１５）の上方部分に固定された互いに平行な少なくとも二つの長手ハンドル（９）を備え、
少なくとも一つの支持ハンドル（５）は前記二つの長手ハンドル（９）に連結されている、
ことを特徴とする請求項８に記載のコンテナ。
【請求項１０】
側パネル（１５）の上縁部に連結された上蓋（１０）を備え、
前記上蓋（１０）は、前記コンテナ（６）への入口を覆って、その内容物を保護するように、構成され、
前記上蓋（１０）は、当該上蓋（１０）を取り扱うことができるように構成されたハンドル（１１）を、有する、
ことを特徴とする請求項９に記載のコンテナ。
【請求項１１】
前記上蓋（１０）は、前記コンテナ（６）の内部を見ることができるように構成された少なくとも一つの透明な面（１２）を、含む、
ことを特徴とする請求項１０に記載のコンテナ。
【請求項１２】
四つの側パネル（１５）を備える、
ことを特徴とする請求項８〜１１のいずれか一項に記載のコンテナ。
【請求項１３】
前記側パネル（１５）および前記下パネル（１６）は、織製ポリエチレンラフィアで作製されている、
ことを特徴とする請求項８〜１２のいずれか一項に記載のコンテナ。
【請求項１４】
少なくとも一つの支持ハンドル（５）は、磁界の作用によって引き付けられるように構成された少なくとも一つの強磁性エレメント（４）に、連結されている、
ことを特徴とする請求項８〜１３のいずれか一項に記載のコンテナ。
【請求項１５】
側パネル（１５）間の連結部分の各自由上端部にコーナー部ハンドル（８）を備え、
前記コーナー部ハンドル（８）は、少なくとも一つの支持ハンドル（５）を収容するように、構成されている、
ことを特徴とする請求項８〜１４のいずれか一項に記載のコンテナ。
【請求項１６】
請求項８〜１５のいずれか一項に記載のコンテナを取り扱うための支持ハンドルであって、
磁界によって引き付けられるように構成された少なくとも一つの強磁性エレメント（４）に連結されている、
ことを特徴とする支持ハンドル。
【請求項１７】
コンテナを取り扱うための方法において、
ヒンジピン（２）を中心としてヒンジ作動するように構成された少なくとも一つのフック（１）と、磁界を発生させるように構成された電磁手段（３）と、を有する持ち上げ手段を、少なくとも一つの強磁性エレメント（４）が連結された少なくとも一つの支持ハンドル（５）を有する少なくとも一つのコンテナ（６）に、位置決めする工程であって、前記フック（１）が折り畳み位置にあり、前記電磁手段（３）が駆動されていない、工程と、
前記電磁手段（３）を駆動して、前記少なくとも一つの強磁性エレメント（４）を引き付ける工程と、
前記フック（１）を、このフックが前記電磁手段（３）の下方に位置する展開位置へ、ヒンジ作動させる工程と、
前記電磁手段（３）の駆動を停止し、前記少なくとも一つの支持ハンドル（５）を前記フック（１）で支持する工程と、
前記持ち上げ手段を操作し、前記コンテナ（６）を目標の場所に配置する工程と、
前記フック（１）を折り畳み位置までヒンジ作動させ、前記支持ハンドル（５）を解放する工程と、を含む、
ことを特徴とするコンテナを取り扱うための方法。
【請求項１８】
前記持ち上げ手段を前記少なくとも一つのコンテナ（６）に位置決めする前に、充填工程を含み、
この充填工程は、
空のコンテナ（６）を構成する二つの長手ハンドル（９）および上蓋（１０）の一つのハンドル（１１）を、充填領域（１４）の下方に位置する平行な充填用支持体（１３）で吊り下げる工程と、
前記コンテナ（６）を内容物で充填する工程と、
フォークリフトトラック（１８）のフォーク（１７）を、前記長手ハンドル（９）および前記ハンドル（１１）の下方に、配置する工程と、
前記フォーク（１７）を持ち上げ、前記コンテナ（６）を前記充填領域（１４）から持ち上げる工程と、
前記コンテナ（６）が地面に支持されるまで前記フォーク（１７）を下げる工程と、
前記ハンドル（１１）を引き、前記上蓋（１０）が前記長手ハンドル（９）の下方を通過して、前記上蓋（１０）が前記コンテナ（６）の内部への入口を覆う閉鎖位置に配置されるように、前記フォーク（１７）を取り外す工程と、を含む、
ことを特徴とする請求項１７に記載のコンテナを取り扱うための方法。
【発明の詳細な説明】
【発明の目的】
【０００１】
本発明の第１の特徴は、コンテナを取り扱うためのデバイスに関し、第２の特徴は、前記デバイスを備えたコンテナに関し、第３の特徴は、前記コンテナを取り扱うための方法に関する。前記三つの特徴は、商品搬送産業に用途があり、好ましくは、建設の分野で塊状材料又は破壊屑(bulk material or debris) を取り扱い、搬送する上で用途がある。
【発明の背景】
【０００２】
現在、一般的には塊状材料又は破壊屑である大量の材料を貯蔵し、搬送するための様々な種類のコンテナが既知である。コンテナ内部に収容した材料の取り出し、又はこれらの材料を使用しようとする場所まで搬送することのいずれかを行うため、材料を装入した実際のコンテナを取り扱うことが必要とされる。これは、こうしたコンテナの大きな重量および容積のために取り扱いが困難であるため、非常に時間がかかり、複雑な作業である。
【０００３】
例えば、通常は金属製の剛性本体を備えた種類のコンテナがある。このコンテナの大きさは、用途、および、収容されるべき材料の容積にしたがって変化し、破壊屑を収容しようとする場合には、破壊屑を除去する場所の近くの道路上に一時的に置かれる。
【０００４】
これらのコンテナを取り扱うため、商品搬送車輛が必要とされる。商品搬送車輛は、これらのコンテナをスリングに固定するための持ち上げ手段を含んでいる。スリングは、通常は、コンテナの側部に設けられた固定点に端部が固定される四本のチェーンを備えている。固定点へのチェーンの固定は、全て、時間が掛かり、そのため上述の持ち上げ手段の他に、チェーンの端部をコンテナの固定点に固定する上でオペレータが直接的に関与することが必要とされている。
【０００５】
更に、塊状材料又は塵埃を収容するようになった可撓性コンテナまたはサックとして一般的に知られている別の種類のコンテナがある。こうしたコンテナは、一般的には、建設の分野で使用され、並びに例えば店舗や家屋の改築等の小規模な建設現場での破壊屑の搬送および除去で使用される。
【０００６】
この種のコンテナは、通常は、下パネルおよび四つの側パネルを含み、例えば塊状材料を収容するようになった内部空間を形成する。これらのコンテナは、ＦＩＢＣ（可撓性中間塊状材料コンテナ）という省略形で既知であり、通常は織製ラフィアポリエチレンで構成されている。
【０００７】
この種のコンテナは、様々な用途に対し、特にコンテナ積み込み作業および積み下ろし作業でコンテナの持ち上げを可能にする支持手段に関し、幾つかの形体を有する。
【０００８】
前記支持手段に関し、最も広く使用されているコンテナの一つは、側パネルが形成する上隅部の各々にハンドル（把持される部分、引っ掛けられる部分）を備えている。これにより、これらのハンドルをクレーンのフックによってグリップすることができ、又は、コンテナを持ち上げるときに前記四つのハンドルに連結される任意の他の機構又は下部構造によって、グリップすることができる。
【０００９】
各隅部に配置されたハンドルの各々の間にロープ又はチェーンが配置された、コンテナの変形例がある。幾つかの場合には、これらのロープ又はチェーンは二つずつ平行に配置されており、そのため、コンテナは、二つの長手ハンドル（縦ハンドル）と二つの横方向ハンドルとを含んでいる。これらの横方向ハンドルは、通常は、コンテナが平面図で見て矩形であり、したがって、四つの側パネルを持つ場合、長手ハンドルに対して垂直となる。
【００１０】
別の種類のコンテナは、全てのコーナー部ハンドルの内側に配置された一本のロープを有する。コンテナが載荷状態にある場合、このロープにより支持を行うことができ、これと同時に前記支持の作用により、コンテナを正確に自動的に閉鎖する。
【００１１】
ここまで論じたコンテナに共通した特徴は、大きな荷重の直接的結果として、これらのコンテナが載荷状態にあるとき、数千キロに及ぶ荷重に耐えることができるということである。前記共通の特徴は、これらのコンテナの取り扱いにクレーンやフォークリフトトラック等の持ち上げ手段を使用することを必要とするということである。
【００１２】
更に、これらのコンテナ全ての主な欠点は、これらのコンテナを持ち上げ手段に対し、オペレータが、手作業で、通常は、コンテナの上隅部に四つの点が各々配置された場合等で、コンテナの幾つかの点で関与しなければならないということである。前記手作業による関与は、フック掛けを行うためのフック作業およびコンテナのフック外し作業の両方を行わなければならない。したがって、取り扱いプロセスで遅延が生じ、これが搬送費用に跳ね返り、また、オペレータの安全に対する危険も高くなる。
【００１３】
持ち上げ手段をコンテナと関連（連結）させる様々な方法がある。例えば、コンテナをフックと関連させるため、ハンドルが各上隅部に設けられたコンテナは、フックをコンテナの四つのハンドルの各々に手作業でフック掛けする必要がある。コンテナをフックから外すためには、フックをコンテナのハンドルと関連した状態から外すために手作業を行うことが必要とされる。したがって、これには時間の浪費がつきまとう。
【００１４】
四つの枝部を持つチェーンを含むスリング又はベルト場合には、オペレータがスリングのリングをクレーンのフックに、及び、次いでコンテナのハンドルのフックに掛けるようになる。
【００１５】
手作業でフック掛けを行う必要があるという欠点に加え、この種のコンテナには、コンテナの取り扱い時に持ち上げ手段を必ずしも利用することができないという別の欠点がある。
【００１６】
この種のコンテナ用の支持手段として使用されるデバイスの一例が、米国特許第５，２６９，５７９号に記載されている。この特許は、四つの枝部およびクレーンのフックを掛けることができる一つのエレメントを含む構造として構成された、塊状材料用袋を持ち上げるためのデバイスに関する。枝部の端部の各々は、下位置と上位置との間で垂直方向に位置決めすることができるヒンジエレメントを有する。ヒンジエレメントは、コンテナを持ち上げることができるようにして、コンテナの隅部に設けられたハンドルに収容されるようになっている。
【００１７】
上述の場合におけるのと同様に、このデバイスには、極めて複雑であり、高価であるという欠点があり、更に、デバイスが常にコンテナと一緒に移動する。更に、デバイスは、安全性に非常に乏しく、ヒンジエレメントが壊れる可能性が高い。壊れたヒンジエレメントは、オペレータが手作業で配置しなければならない。
【００１８】
更に、欧州特許出願第ＥＰ０２５９２３０号には、塊状材料を収容するようになった、一つの下パネルおよび四つの側パネルを含む大容量の袋を取り扱うためのデバイスが記載されている。これらのパネルは全て可撓性であり、各上隅部にハンドルが設けられ、四角形の剛性構造を収容することができ、例えばクレーンのフック等の持ち上げ手段に固定することができる。
【００１９】
しかしながら、剛性構造又はいずれかのハンドルが壊れた場合には、信頼性が非常に損なわれ、極めて不安定になり、コンテナが、特に装荷状態で引っ繰り返らないようにするため、剛性構造の幾つかの点を支持する必要がある。このデバイスは融通のきくデバイスではなく、設置に手間がかかり、オペレータが手作業で関与する必要があり、前記剛性構造を常に支持する必要があり、前記構造を忘れてコンテナの取り扱いが不可能になる危険がある。
【００２０】
同様に、この種のコンテナを短い距離に亘って取り扱い、搬送するためには、商品搬送車輛に側方から載荷するフォークリフトトラックもまた使用される。この目的のため、フォークリフトトラックのフォークをコンテナのハンドルに手作業で連結し、フォークリフトトラックそれ自体を取り扱うことを必要とする。したがって、少なくとも二人のオペレータが必要とされる。この場合、ハンドルを取り扱うオペレータの安全性に対する危険が高く、コンテナの搬送費用が上昇する。
【００２１】
この種の取り扱い手段の一例が欧州特許第ＥＰ１０４５８０２号に記載されている。この特許は、塊状材料を収容し搬送するようになった可撓性袋に関する。この目的のため、前記袋は下パネルおよび側パネルを含み、同様に、二つの平行な弾性チューブ状エレメントが側パネルの上部分に固定されている。これらのエレメントは、フォークリフトトラックのフォーク用のガイドとして役立ち、かくして、袋を取り扱うことができる。
【００２２】
この種の袋の主な欠点は、この種の持ち上げ手段によってしか取り扱うことができないということである。袋の積み込み作業および積み下ろし作業を行うことができるようにするためには、クレーン又は任意の他のエレメントをフォークの平行な形体に適合しなければならない。
【００２３】
以上に基づき、コンテナを、コンテナを取り扱うことができるように構成された手段と関連させる。コンテナの取り扱いには、コンテナの持ち上げ、搬送、並びに商品搬送車輛でのコンテナの積み込み作業および積み下ろし作業が含まれる。これには、現在、オペレータが実際のコンテナに手作業で直接的に関与することが必要とされる。その結果、時間が掛かり、搬送費用が上昇し、並びに、オペレータに事故が起る危険が高い。
【発明の開示】
【００２４】
本発明の第１の特徴は、支持手段にフック掛けするためのハンドル等のグリップエレメントまたは保持エレメントを備えた、フック掛けを手早く且つ容易に行うことができるコンテナ、好ましくは可撓性コンテナを取り扱うためのデバイスに関する。これにより時間が節約され、これに要する費用が低減され、オペレータに事故が起る危険を小さくすることができる。
【００２５】
デバイスは、更に、様々なコンテナに対して使用することができる場合には、融通性が極めて高い。例えば可撓性コンテナの場合には、支持又は持ち上げを行うためのデバイス又は手段にフック掛けされるようになったハンドル、ベルト、又はストラップ等のグリップエレメントまたは保持エレメントを備えた任意のコンテナで使用することができる。今日存在する全ての変形例を、可撓性コンテナの前記ハンドルの構成に関して考える。
【００２６】
本発明が提案するコンテナ取り扱いデバイスは、デリッククレーン、可搬式クレーンまたは商品搬送車輛に組み込まれた小型クレーン等の任意の現存の支持手段に組み込むことができる。商品搬送車輛には、積み込み作業および積み下ろし作業を行うためのトレーラーが含まれる。この場合、本発明が提案するデバイスを制御し、取り扱い、及び、賦勢するため、本発明は、車輛に組み込まれた持ち上げ手段の制御装（controls）置を使用することができる。
【００２７】
本発明によれば、コンテナを取り扱うためのデバイスは、好ましくは持ち上げ手段の端部に配置された少なくとも一つのフックを含んでいる。持ち上げ手段には、クレーン、又は車輛自体に組まれた、商品搬送車輛に含まれる持ち上げ手段が含まれる。フックは、前記フックを持ち上げ手段の端部に配置することによって、制御および取り扱いが良好に行われる。
【００２８】
本発明のデバイスは、四つの枝部を持つチェーンスリングとともに使用することができ、フックをスリングのリングにフック掛けし、スリングの各フックは、コンテナのハンドルに作動的にフック掛けされる。デバイスは、同様に、布製スリングとともに使用されてもよい。
【００２９】
取り扱われるべきコンテナは、好ましくは可撓性であり、一般的には少なくとも一つの支持ハンドルを備えており、このハンドルにより、コンテナが載荷状態にある場合でも、コンテナの単一の箇所（単一のポイント）で又は幾つかの箇所（幾つかののポイント）で安定した持ち上げが可能である。コンテナは、任意の形体を備えていてもよく、少なくとも一つの支持ハンドルを含むものと考えられる。ハンドルは、通常は、前記コンテナの二つの側パネル又は向き合った隅部に固定される。
【００３０】
フックは、好ましくは自動−遠隔制御によって、ヒンジピンを中心としてヒンジ作動させられ得るが、フック作動を手作業で行うことも考えられ、いずれの場合でもフック外しは自動的に、例えば無線周波数による遠隔制御によって行われる。
【００３１】
したがって、フックを、ヒンジピンの下の空間に何もない（ヒンジピンの下の空間が開放された）折り畳み位置と、ヒンジピンの下にフックが配置された展開位置との間で枢動させることができる。
【００３２】
フックは、展開位置にある場合には、コンテナ全体を、少なくとも一つの支持ハンドルを支持することによって、ピックアップすることができ、支持することができる。
【００３３】
このデバイスの利点は明確である。いずれにせよ、フック外しを自動で行うことができ、これにより時間を節約することができ、オペレータに事故が起る危険を最少にし、その結果、節約および高い融通性が得られる。
【００３４】
本発明のデバイスにより、オペレータは、持ち上げ手段又はクレーンを、その制御装置（controls）によって、フック掛けすることができ、これによってフックの枢動を制御することができると考えられ、その結果、時間や資源が節約され、危険が低下する。
【００３５】
本発明のデバイスは、更に、現存の様々なコンテナで使用することができ、好ましくは可撓性の種類のコンテナで使用することができ、各コンテナの支持ハンドルを互いに近付けて配置することによって同時に二つのコンテナを取り扱うことができ、持ち上げ時間および載荷時間を短くすることによって生産性を向上する。本発明のデバイスは、更に、任意の種類の積荷に適用することができ、例えばフォークリフト等の他の工具又は付属部品に迅速に連結することができる。
【００３６】
本発明が提案する、コンテナを取り扱うためのデバイスは、少なくとも一つのフックと、好ましくは電磁石を含む電磁手段と、を含んでいる。これらは、両方とも、持ち上げ手段に配置される。電磁石の代わりに、常に賦勢状態（駆動（作動）された状態）にある電磁石の機能を果たす永久磁石を使用することは、完全に等価であり、本発明では同様に考えられる。
【００３７】
電磁手段は、駆動された時に磁界を発生するように構成されている。これにより、前記磁界の電磁力の作用によって一つの強磁性エレメントを引き付けることができるが、本発明は、例えば可撓性コンテナであってもよいコンテナの支持ハンドルに連結された複数の強磁性エレメントを含んでいてもよい。
【００３８】
強磁性エレメントは、例えばたが、プレート、リベット、クランプ、ケーブル、ストリップ、ワイヤ、フィラメント、パイプ、ディスク、又はクリップ等の、強磁性エレメント製の任意の小型部品であってもよい。例えば機械的連結部等の、少なくとも一つの支持ハンドルへの任意の種類の連結部が考えられ、又はキャビティ又はポケット内に収容されていてもよく、縫い付け、クランプ、又は接着で取り付けられていてもよい。
【００３９】
コンテナは、コンテナが載荷状態にある場合でも、コンテナを単一の箇所（単一のポイント）で安定して持ち上げることを可能にする少なくとも一つの支持ハンドルを備えている場合には、任意の形体を持つことができる。前記支持ハンドルは、通常は、コンテナの二つの側パネルに、又は向き合った隅部に固定される。
【００４０】
フックは、好ましくは自動遠隔制御によって、電磁手段の下の空間に何もない（電磁手段の下の空間が開放された）折り畳み位置と、フックが電磁手段の下に配置された展開位置と、の間で、ヒンジピンを中心として、ヒンジ作動させられ得る。電磁手段は、好ましくは、フックのヒンジピンの下に配置されており、フックおよび電磁手段は別々に配置されていてもよく、例えば、クレーンの嵌め込み式アームの隣接したセグメントに別々に配置されることが考えられる。
【００４１】
このデバイスにより、時間の無駄なく又はオペレータが事故に遭う危険なしに自動的にフック掛けすることができ、これにより節約がなされ、高度の融通性が得られる。
【００４２】
本発明のデバイスにより、オペレータは、持ち上げ手段又はクレーンをその制御装置（controls）からフック掛けすることができる。前記制御装置により、電磁手段の賦勢（駆動、作動）およびフックのヒンジ作動位置を制御することができる。その結果、時間や資源の節約がなされ、危険を減少する。
【００４３】
強磁性エレメントをコンテナに、好ましくは側パネルの上縁部に、好ましくは弾性固定エレメント（弾性ファスニングエレメント）で連結することにより、強磁性エレメントを、電磁手段が接近（アクセス）することができる所定の位置に保持することができ、強磁性エレメントはこの範囲の外に出ることはなく、前記強磁性エレメントを失くしてしまうことに対する安全性を更に強化することが、同様に考えられる。
【００４４】
本発明の第二の特徴は、上文中に説明したコンテナ等のコンテナを取り扱うためのデバイスを備えたコンテナに関する。
【００４５】
本発明のコンテナは、迅速に、時間の無駄なくフック掛けすることができる。その結果、極めて融通性が高いコンテナが得られる。このコンテナは、例えば商品搬送車輛に設けられた汎用クレーン等の任意の種類の持ち上げ手段と関連して使用することができる。
【００４６】
更に、本発明のコンテナにより、充填開口部すなわちコンテナの入口（アクセス）と対応する空間を提供することができる。これにより、積み込み作業および積み下ろし作業を容易にする。
【００４７】
本発明が提案するコンテナは、好ましくは可撓性であり、コンテナを単一の箇所（単一のポイント）で安定して持ち上げることができるように構成された少なくとも一つの支持ハンドルを備えている。前記持ち上げ箇所は、好ましくは、フックが固定される箇所であり、コンテナの平面投影(plan projection) の重心と一致し、これによりコンテナを垂直方向に持ち上げることができる。
【００４８】
本発明の可撓性コンテナは、複数の側パネル、好ましくは、四つの側パネルと、下パネルと、を含んでいる。これらのパネルがコンテナの本体を形成する。
【００４９】
コンテナは、向き合った二つの側パネルの上部分に固定された互いに平行な少なくとも二つの長手ハンドル（縦ハンドル、長手方向ハンドル）を含んでいてもよい。少なくとも一つの支持ハンドルが、二つの長手ハンドルに対して横方向に関連しており、支持ハンドルを長手ハンドルに沿って相対的に移動させることができることが考えられる。
【００５０】
いずれにせよ、支持ハンドルは、縫い付けられたロープ又はベルトで形成されていてもよく、閉じたたが状の形体を備えていてもよく、又は端部を縫い付けた開放形体を備えていてもよい。その中央部分が縫い付けられていてもよい。長手ハンドルは支持ハンドルに対して横方向に延びており、前記支持ハンドルは前記長手ハンドル上で移動することができ、内容物積み込み作業および積み下ろし作業を行うためにコンテナへの上アクセス開口部を開放することができる。
【００５１】
ダブル充填ステーションの場合には、二つの隣接したコンテナの支持ハンドルを互いに近付けることにより、単一のフックで二つのコンテナをフック掛けすることができ且つ持ち上げることができる。
【００５２】
更に、長手ハンドルは所定の剛性を備えている。この剛性により、これらのハンドルは、常にホイスト位置または持ち上げ位置に維持され、これにより、フォークリフトトラックのフォークを前記長手ハンドルの下に連結することによって、オペレータが手作業で取り扱い又はフック掛けを行う必要なしにコンテナを迅速に取り扱うことができ、充填ステーションに四つのハンドルでなく二つのハンドルだけで吊り下げることができる。
【００５３】
コンテナは、側パネルの上縁部に連結された上蓋を含んでいてもよい。前記上蓋はコンテナへの入口を覆い、コンテナの内容物を保護するように形成されているものと考えられる。
【００５４】
上蓋はハンドルを備えていてもよい。このハンドルは、好ましくは、上蓋がコンテナの側パネルに連結された側部とは反対側の側部に配置される。更に、前記ハンドルは、上蓋を快適に取り扱うことができるように構成されているものと考えられる。この上蓋により、コンテナの充填後、内容物を低温や風雨等から保護する必要がある場合、追加の取り扱いを何ら必要とせずに上蓋が配置される。したがって、これにより、コンテナの搬送時にコンテナ内に収容された材料の粒子が周囲に飛び散らないようにする。したがって環境汚染の問題やコンテナの積荷または内容物が失われることがないようにする。
【００５５】
上蓋は、ウィンドウのような少なくとも一つの透明な面を備えていてもよい。この透明な面は、上蓋の全面を覆っていてもよく、これによりコンテナ内部並びに内容物を見ることができるものと考えられる。前記透明面により、上蓋を閉じたまま、すなわち内容物が保護された状態で、コンテナの内容物を視認により直ちに検査又は確認することができる。
【００５６】
本発明のコンテナを取り扱うため、クレーンを含んでいてもよい持ち上げ手段を少なくとも一つのコンテナに配置することが考えられる。前記持ち上げ手段は、支持ハンドルをフック掛けするためのヒンジ作動可能なフックを含んでいる。
【００５７】
ダブル充填ステーションの場合におけるのと同様に二つのコンテナの取り扱いが行われる。この場合、二つの隣接したコンテナの支持ハンドルを互いに近付けることにより、持ち上げ手段によって二つのコンテナをフック掛けすることができる。
【００５８】
同様に、コンテナを充填するための充填領域の下方の平行な充填支持体に、空のコンテナの二つの長手ハンドルと上蓋のハンドルとを吊り下げることによって、コンテナを充填ステーションで充填することができる。充填領域は、充填ホッパを含んでいてもよい。各載荷ステーションは、通常は、持ち上げられた構造上に組み立てられた垂直積み下ろしホッパを含んでいる。このホッパの下には、コンテナを吊り下げ態様で位置決めすることができる固定支持体のシステムが設けられる。コンテナは、コンテナを吊り下げるオペレータの後方への移動中に徐々に開放される。次いで、コンテナを充填ホッパで充填する。次いで、フォークリフトトラックのフォークを長手ハンドルおよびハンドルの下に置き、前方に移動し、フォークを長手ハンドルおよび上蓋のハンドルの内側に通す。次いでフォークを持ち上げ、コンテナを充填領域から取り出し、後方に移動することによってコンテナを充填ステーションから取り出す。最後に、コンテナが地面の上に置かれるまでフォークを下げ、フォークを取り出す。この際、ハンドルを引っ張り、上蓋が長手ハンドルの下方を通過し、上蓋を、例えば風の作用で誤って持ち上げられることがないように、コンテナ内部への入口（アクセス）を覆う閉鎖位置に置く。
【００５９】
少なくとも一つの支持ハンドルに、上文中に説明した少なくとも一つの強磁性エレメントが連結されていると考えられる。強磁性エレメントは、コンテナ取り扱いデバイスの電磁手段が駆動（作動、賦勢）されたとき、発生した磁界の作用によって前記電磁手段に引き付けられるように構成されている。
【００６０】
本発明のコンテナは、側パネル間の連結部の各自由上端にコーナー部ハンドル（隅部ハンドル、角部ハンドル）を備えていてもよい。前記コーナー部ハンドルにより、フックで掴むための少なくとも一つの支持ハンドルを収容（受ける、保持）することができる。それにも関わらず、本発明のコンテナは、上文中に説明したような少なくとも一つの支持ハンドルを備えている場合には、任意のこの他の形体をとってもよいと考えられる。
【００６１】
これに加え、コーナー部ハンドルの代わりに、互いに平行な少なくとも二つの長手ハンドルをコンテナに設けてもよい。これらの長手ハンドルは、二つの向き合った側パネルの上部分に固定される。少なくとも一つの支持ハンドルを二つの長手ハンドルに連結することが考えられる。
【００６２】
最後に、本発明の第３の特徴は、コンテナを取り扱うための快適で迅速で極めて融通性が高い方法に関する。この方法は、
【００６３】
クレーンを含み得る持ち上げ手段を、好ましくはオペレータが、少なくとも一つのコンテナに、配置する工程を含んでいる。持ち上げ手段は、ヒンジピンを中心としてヒンジ作動することができる少なくとも一つのフックと、駆動（作動、賦勢）時に磁界を発生させることができる電磁手段と、を含んでいる。
【００６４】
前記コンテナは、少なくとも一つの強磁性エレメントが連結された少なくとも一つの支持ハンドルを含んでいる。フックは折り畳み位置にあり、電磁手段は消勢されている（電磁手段の駆動（動作）は停止している）。
【００６５】
次いで電磁手段を駆動（作動、賦勢）し、強磁性エレメントを、これにともなって支持ハンドルを引き付ける。
【００６６】
次いで、フックを、好ましくは自動で、展開位置までヒンジ作動させる。展開位置では、前記フックは電磁手段の下方に位置する。
【００６７】
次いで電磁手段を消勢し（次いで電磁手段の駆動（作動）を停止し）、支持ハンドルをフックで支持し、その後持ち上げ手段を操作してコンテナを所望の場所に、例えば商品搬送車輛のトレーラーに置く。コンテナが載荷状態にある場合には、コンテナが持ち上げられるとき、コンテナの実際の重量により、支持ハンドルがフックだけで支持される。
【００６８】
最後に、フックを折り畳み位置までヒンジ作動させ、支持ハンドルを、これにともなってコンテナ全体を解放する。
【００６９】
二つのコンテナの取り扱いは、同様の方法で行われる。ダブル充填ステーションの場合には、二つの隣接したコンテナの支持ハンドルを互いに近付け、クレーンによって二つのコンテナをフック掛けすることができるようにする。
【００７０】
本方法は、随意であるが、上文中に説明した工程の前に、以下の工程を含む充填工程が実施されるものと考えられる。
【００７１】
まず最初に、空のコンテナの二つの長手ハンドルおよび上蓋のハンドルを、平行な充填支持体で、コンテナを充填するための充填領域の下方に吊り下げる。充填領域は、充填ホッパを含んでいてもよい。
【００７２】
各載荷ステーションは、通常は、持ち上げられた構造上に組み立てられた垂直積み下ろしホッパを含んでいる。このホッパの下方には、コンテナを吊り下げた態様で位置決めすることができる固定支持体のシステムが設けられる。コンテナは、コンテナを吊り下げるオペレータの後方への移動中に徐々に開放される。
【００７３】
次いで、コンテナを、通常は塊状材料である内容物で、充填する。こうした内容物は、充填ホッパからコンテナの内部に充填される。
【００７４】
次いで、フォークリフトトラックのフォークを長手ハンドルおよびハンドルの下方に置き、前方に移動し、フォークを長手ハンドルおよび上蓋のハンドルの内側に通す。
【００７５】
次いでフォークを持ち上げ、コンテナを充填領域から取り出し、後方に移動することによってコンテナを充填ステーションから取り出す。
【００７６】
次いで、コンテナが地面の上に置かれるまでフォークを下げ、フォークを取り出す。この際、ハンドルを引き、上蓋が長手ハンドルの下方を通過し、上蓋を、例えば風の作用で誤って持ち上げられることがないように、コンテナ内部へのアクセスを覆う閉鎖位置に配置する。
【００７７】
フォークを下げて後方に移動するとき、上蓋のハンドルが引っ張られる。最終的な下方への移動時にハンドルを取り出す。かくして、上文中に説明した方法によってコンテナをフック掛けして搬送する準備ができる。
【００７８】
以上の説明を補足するため、及び、本発明の好ましい実際的な実施の形態による本発明の特徴を更によく理解することを補助するため、上記説明の一体の部分として一組の図面を添付する。添付図面には、以下の事項が限定でなく例示として示してある。
【図面の簡単な説明】
【００７９】
【図１】図１は、本発明によるコンテナ取り扱いデバイスを含むコンテナの概略斜視図である。
【図２】図２は、図１に示すコンテナの変形例の概略斜視図である。
【図３】図３は、連結して取り扱うように構成された二つのコンテナを示す概略斜視図である。
【図４】図４は、本発明が提案するコンテナを取り扱うための方法を含む工程の流れを示す概略図である。
【図５】図５は、図４に示す取り扱い方法の前に実施される充填方法を示す概略図である。
【発明の好ましい実施の形態】
【００８０】
添付図面を参照すると、本発明の第１の特徴の可能な実施の形態のうちの一つにおいて、コンテナを取り扱うためのデバイスは、少なくとも一つのフック（１）および電磁手段（３）を含み、これらの両方が持ち上げ手段に配置されていることがわかるであろう。
【００８１】
電磁手段（３）は、駆動（作動、賦勢）されたときに磁界を発生させ、図４でわかるように、コンテナ（６）の支持ハンドル（５）に連結された少なくとも一つの強磁性エレメント（４）を磁力の作用によって引き付けるように構成されている。
【００８２】
コンテナ（６）は、コンテナ（６）を単一の箇所（単一のポイント）で安定して持ち上げることができるようにする少なくとも一つの支持ハンドル（５）を備えている。
【００８３】
フック（１）は、ヒンジピン（２）を中心として、好ましくは自動遠隔制御によって、電磁手段（３）の下の空間に何も配置されていないようになる折り畳み位置と、フック（１）が電磁手段（３）の下に配置されている展開位置と、の間でヒンジ動作するように構成されている。
【００８４】
フック（１）は、展開位置にある場合、好ましくはオペレータからの制御により電磁手段（３）が駆動停止（作動停止、消勢）されて支持ハンドル（５）を解放したとき、支持ハンドル（５）を支持することによって、コンテナ（６）をピックアップし支持するように構成されている。
【００８５】
図１に示すように、強磁性エレメント（４）は、コンテナ（６）に、好ましくは側パネルの上縁部に、好ましくは弾性ファスニングエレメント（弾性固定エレメント）（７）によって連結されている。その結果、強磁性エレメント（４）は、電磁手段（３）が接近（アクセス）することができる位置に維持され、及び、電磁手段（３）が届く範囲内にあり、さらに、前記強磁性エレメント（４）をなくしてしまう可能性を低下させる。
【００８６】
本発明の第２の特徴は、コンテナを取り扱うための上文中に説明したようなデバイスを含むコンテナに関する。
【００８７】
本発明が提案するコンテナは、コンテナ（６）を単一の箇所（単一のポイント）で安定して持ち上げることができるように構成された少なくとも一つの支持ハンドル（５）を含んでいる。
【００８８】
少なくとも一つの強磁性エレメント（４）は、少なくとも一つの支持ハンドル（５）に連結されている。この強磁性エレメント（４）は、電磁手段（３）が駆動されたとき、発生した磁界の作用によって、電磁手段に引き付けられるように構成されている。
【００８９】
コンテナ（６）は、コンテナ本体を形成する四つの側パネル（１５）および一つの下パネル（１６）を含んでいる。
【００９０】
図１および図８でわかるように、コンテナ（６）は、側パネル間の連結部の自由上端の各々にコーナー部ハンドル（角部ハンドル）（８）を備えている。これらのコーナー部ハンドル（８）は、少なくとも一つの支持ハンドル（５）をフック（１）で掴むため、少なくとも一つの支持ハンドル（５）を収容する（受ける、通す）ように構成されている。
【００９１】
図２、図３および図５に示す本発明のコンテナの変形例によれば、コンテナ（６）は、二つの向き合った側パネルの上部分に互いに平行に固定された少なくとも二つの長手方向を有した長手ハンドル（細長ハンドル、縦ハンドル）（９）と、これらの二つの長手ハンドル（９）に連結された少なくとも一つの支持ハンドル（５）と、を含んでいる。
【００９２】
長手ハンドル（９）は、好ましくは、支持ハンドル（５）を横切っている。支持ハンドル（５）は、前記長手ハンドル（９）上で移動し、積み込み作業および積み下ろし作業を行うためにコンテナへの上アクセス開口部を開放するように構成されている。
【００９３】
図３に示すように、ダブル充填ステーションの場合には、二つの隣接したコンテナ（６）の支持ハンドル（５）を互いに近付けたままにする。これにより、二つのコンテナ（６）をフック（１）で掴むことができる。
【００９４】
コンテナは、側パネルの上縁部に連結された上蓋（１０）を含んでいる。この上蓋は、コンテナへの入口（アクセス、アクセス部）を覆い、その内容物を保護するように構成されている。上蓋には、コンテナ（６）の側パネルに連結された側とは反対側にハンドル（１１）が設けられている。ハンドル（１１）によって、上蓋（１０）を取り扱うことが可能となるように、このハンドル（１１）は構成されている。
【００９５】
図２および図３でわかるように、上蓋（１０）は、コンテナ（６）の内部並びにその内容物を見ることができるように構成された少なくとも一つの透明な面（１２）を含んでいる。
【００９６】
最後に、本発明の第３の特徴は、コンテナを取り扱うための方法に関し、この方法は以下の工程を含んでいる。
【００９７】
この方法は、図４のＡに示すように、持ち上げ手段を少なくとも一つのコンテナ（６）のように配置する工程を含んでいる。前記持ち上げ手段は、ヒンジピン（２）を中心としてヒンジ動作することができる少なくとも一つのフック（１）と、駆動（作動、賦勢）時に磁界を発生させることができる電磁手段（３）と、を含んでいる。
【００９８】
前記コンテナ（６）は、少なくとも一つの強磁性エレメント（４）が連結された少なくとも一つの支持ハンドル（５）を含んでいる。フック（１）は折り畳み位置にあり、電磁手段（３）は駆動を停止（消勢）されている。
【００９９】
次に、図４のＢに示すように、電磁手段（３）を駆動（作動、賦勢）し、強磁性エレメント（４）を、これにともなって支持ハンドル（５）を引き付ける。
【０１００】
次いで、フック（１）を展開位置までヒンジ作動させる。この位置では、前記フック（１）は、図４のＣでわかるように、電磁手段（３）の下にある。
【０１０１】
次いで、図４のＤに示すように、電磁手段（３）の駆動（作動）を停止（消勢）する。支持ハンドル（５）はフック（１）によって支持される。その後、持ち上げ手段を操作し、コンテナ（６）を所定の場所、例えば商品搬送用車輛のトレーラーに配置する。
【０１０２】
最後に、フックを折り畳み位置までヒンジ作動させ、支持ハンドル（５）を解放し、これにともなってコンテナ（６）全体を解放する。
【０１０３】
ダブル充填ステーションの場合には、二つの隣接したコンテナ（６）の支持ハンドル（５）を互いに近付けることにより、図３に示すようにクレーンによって二つのコンテナをフック掛けすることができるようにする。これによりコンテナを同時に同様の方法で取り扱うことができる。
【０１０４】
上述の方法は、以上説明した工程の実施前に、追加の充填工程を含んでいてもよい。この方法は、図５に示す以下の工程を含んでいる。
【０１０５】
まず最初に、コンテナ（６）を充填するための充填領域（１４）下で、空のコンテナ（６）の二つの長手ハンドル（９）および上蓋（１０）のハンドル（１１）が、平行な充填用支持体（１３）に、吊り下げられる。充填領域（１４）には、充填用ホッパが設けられていてもよい。コンテナは、図５のＡに示すように配置される。
【０１０６】
コンテナ（６）は、コンテナを吊り下げるオペレータの後方への移動中、徐々に開放される。
【０１０７】
次いで、充填用ホッパからコンテナ（６）の内部に積み下ろしされた内容物、通常は塊状材料によって、コンテナ（６）が充填される。
【０１０８】
次いで、フォークリフトトラック（１８）のフォーク（１７）を長手ハンドル（９）およびハンドル（１１）の下に置き、前方に移動して、フォーク（１７）を長手ハンドル（９）および上蓋（１０）のハンドル（１１）に通す。
【０１０９】
次いで、図５のＢに示すように、フォーク（１７）を持ち上げ、コンテナ（６）を充填領域（１４）から離間させ、後方に移動させてコンテナ（６）を充填ステーションから取り出す。
【０１１０】
次いで、コンテナ（６）が地面に置かれるまでフォーク（１７）を下げ、フォーク（１７）を取り外す。これにより、ハンドル（１１）を引き、上蓋（１０）を長手ハンドル（９）の下に通し、上蓋（１０）が、図５のＣに示すように、コンテナ（６）の内部への入口（アクセス部、アクセス）を覆う閉鎖位置に配置される。
【０１１１】
フォーク（１７）を下げて後方に移動させるとき、同時に、上蓋（１０）のハンドル（１１）が引っ張られる。最終的な下方への移動により、ハンドル（１１）を解放する（取り外す）。このようにして、コンテナ（６）は、上文中に説明した方法で引っ掛けて搬送する準備ができる。
【０１１２】
以上説明した本発明の実施の形態は、本発明の目的の範囲内で多くの方法で組み合わせることができるということは、以上の説明および添付図面から、当業者に明らかであろう。本発明をその幾つかの好ましい実施の形態にしたがって説明したが、特許請求の範囲に記載した本発明の範疇を越えることなく、前記好ましい実施の形態に多くの変更を導入することができるということは当業者に明らかであろう。
【符号の説明】
【０１１３】
１  フック
２  ヒンジピン
３  電磁手段
４  強磁性エレメント
５  支持ハンドル
６  コンテナ
７  弾性ファスニングエレメント
８  コーナー部ハンドル
９  長手ハンドル
１０  上蓋
１１  ハンドル
１２  透明表面
１３  充填用支持体
１４  充填領域
１５  側パネル
１６  下パネル
【図１】
2010515630.tif 000003
【図２】
2010515630.tif 000004
【図３】
2010515630.tif 000005
【図４Ａ】
2010515630.tif 000006
【図４Ｂ】
2010515630.tif 000007
【図４Ｃ】
2010515630.tif 000008
【図４Ｄ】
2010515630.tif 000009
【図５Ａ】
2010515630.tif 000010
【図５Ｂ】
2010515630.tif 000011
【図５Ｃ】
2010515630.tif 000012
【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
コンテナを取り扱うためのデバイスであって、
持ち上げ手段に配置された少なくとも一つのフック（１）と、前記持ち上げ手段に配置された電磁手段（３）と、を備え、
前記少なくとも一つのフックは、ヒンジピン（２）を中心として、前記ヒンジピン（２）の下方の空間が開放される折り畳み位置と、前記フック（１）が前記ヒンジピン（２）の下方にある展開位置と、の間でヒンジ作動するように構成され、
前記電磁手段（３）は、磁界を発生させて、コンテナ（６）を構成する支持ハンドル（５）に連結された少なくとも一つの強磁性エレメント（４）を引き付けるように、構成され、
前記少なくとも一つの支持ハンドル（５）は、前記コンテナ（６）を単一の箇所で安定して持ち上げることができるように構成され、
前記少なくとも一つのフックは、ヒンジピン（２）を中心として、前記電磁手段（３）の下方の空間が開放される折り畳み位置と、前記フック（１）が前記電磁手段（３）の下方にある展開位置と、の間でヒンジ作動するように構成されている、
ことを特徴とするコンテナを取り扱うためのデバイス。
【請求項２】
前記展開位置から前記折り畳み位置への前記フックの作動は、無線周波数による自動遠隔制御によって、行われる、
ことを特徴とする請求項１に記載のコンテナを取り扱うためのデバイス。
【請求項３】
前記折り畳み位置から前記展開位置への前記フックの作動は、手作業で行われる、
ことを特徴とする請求項２に記載のコンテナを取り扱うためのデバイス。
【請求項４】
前記折り畳み位置から前記展開位置への前記フックの作動は、無線周波数による自動遠隔制御によって、行われる、
ことを特徴とする請求項２に記載のコンテナを取り扱うためのデバイス。
【請求項５】
前記電磁手段（３）は電磁石からなる、
ことを特徴とする請求項１〜４のいずれか一項に記載のコンテナを取り扱うためのデバイス。
【請求項６】
前記少なくとも一つの強磁性エレメント（４）は、固定エレメント（７）によって、前記コンテナ（６）に連結されている、
ことを特徴とする請求項１〜５のいずれか一項に記載のコンテナを取り扱うためのデバイス。
【請求項７】
請求項１〜６のいずれか一項に記載のコンテナを取り扱うためのデバイスを備えたコンテナであって、
複数の側パネル（１５）および下パネル（１６）と、
前記コンテナ（６）を単一の箇所で安定して持ち上げることができるように構成された少なくとも一つの支持ハンドル（５）と、を備える、
ことを特徴とするコンテナ。
【請求項８】
二つの対向する側パネル（１５）の上方部分に固定された互いに平行な少なくとも二つの長手ハンドル（９）を備え、
少なくとも一つの支持ハンドル（５）は前記二つの長手ハンドル（９）に連結されている、
ことを特徴とする請求項７に記載のコンテナ。
【請求項９】
側パネル（１５）の上縁部に連結された上蓋（１０）を備え、
前記上蓋（１０）は、前記コンテナ（６）への入口を覆って、その内容物を保護するように、構成され、
前記上蓋（１０）は、当該上蓋（１０）を取り扱うことができるように構成されたハンドル（１１）を、有する、
ことを特徴とする請求項８に記載のコンテナ。
【請求項１０】
前記上蓋（１０）は、前記コンテナ（６）の内部を見ることができるように構成された少なくとも一つの透明な面（１２）を、含む、
ことを特徴とする請求項９に記載のコンテナ。
【請求項１１】
四つの側パネル（１５）を備える、
ことを特徴とする請求項７〜１０のいずれか一項に記載のコンテナ。
【請求項１２】
前記側パネル（１５）および前記下パネル（１６）は、織製ポリエチレンラフィアで作製されている、
ことを特徴とする請求項７〜１１のいずれか一項に記載のコンテナ。
【請求項１３】
少なくとも一つの支持ハンドル（５）は、磁界の作用によって引き付けられるように構成された少なくとも一つの強磁性エレメント（４）に、連結されている、
ことを特徴とする請求項７〜１２のいずれか一項に記載のコンテナ。
【請求項１４】
側パネル（１５）間の連結部分の各自由上端部にコーナー部ハンドル（８）を備え、
前記コーナー部ハンドル（８）は、少なくとも一つの支持ハンドル（５）を収容するように、構成されている、
ことを特徴とする請求項７〜１３のいずれか一項に記載のコンテナ。
【請求項１５】
請求項１〜６のいずれか一項に記載のデバイスとともに載荷を取り扱うための支持ハンドルであって、
磁界によって引き付けられるように構成された少なくとも一つの強磁性エレメント（４）に連結されている、
ことを特徴とする支持ハンドル。
【請求項１６】
コンテナを取り扱うための方法において、
ヒンジピン（２）を中心としてヒンジ作動するように構成された少なくとも一つのフック（１）と、磁界を発生させるように構成された電磁手段（３）と、を有する持ち上げ手段を、少なくとも一つの強磁性エレメント（４）が連結された少なくとも一つの支持ハンドル（５）を有する少なくとも一つのコンテナ（６）に、位置決めする工程であって、前記フック（１）が折り畳み位置にあり、前記電磁手段（３）が駆動されていない、工程と、
前記電磁手段（３）を駆動して、前記少なくとも一つの強磁性エレメント（４）を引き付ける工程と、
前記フック（１）を、このフックが前記電磁手段（３）の下方に位置する展開位置へ、ヒンジ作動させる工程と、
前記電磁手段（３）の駆動を停止し、前記少なくとも一つの支持ハンドル（５）を前記フック（１）で支持する工程と、
前記持ち上げ手段を操作し、前記コンテナ（６）を目標の場所に配置する工程と、
前記フック（１）を折り畳み位置までヒンジ作動させ、前記支持ハンドル（５）を解放する工程と、を含む、
ことを特徴とするコンテナを取り扱うための方法。
【請求項１７】
前記持ち上げ手段を前記少なくとも一つのコンテナ（６）に位置決めする前に、充填工程を含み、
この充填工程は、
空のコンテナ（６）を構成する二つの長手ハンドル（９）および上蓋（１０）の一つのハンドル（１１）を、充填領域（１４）の下方に位置する平行な充填用支持体（１３）で吊り下げる工程と、
前記コンテナ（６）を内容物で充填する工程と、
フォークリフトトラック（１８）のフォーク（１７）を、前記長手ハンドル（９）および前記ハンドル（１１）の下方に、配置する工程と、
前記フォーク（１７）を持ち上げ、前記コンテナ（６）を前記充填領域（１４）から持ち上げる工程と、
前記コンテナ（６）が地面に支持されるまで前記フォーク（１７）を下げる工程と、
前記ハンドル（１１）を引き、前記上蓋（１０）が前記長手ハンドル（９）の下方を通過して、前記上蓋（１０）が前記コンテナ（６）の内部への入口を覆う閉鎖位置に配置されるように、前記フォーク（１７）を取り外す工程と、を含む、
ことを特徴とする請求項１６に記載のコンテナを取り扱うための方法。
【国際調査報告】
2010515630.tif 000013
2010515630.tif 000014
2010515630.tif 000015
2010515630.tif 000016
2010515630.tif 000017
2010515630.tif 000018